(57)【要約】【課題】ユーザの状態によらずユーザが事前に設定したクライアント端末に着信させると共に、秘匿性の要求される発信対象者の画像付きアドレス表示をユーザ毎に編集しユーザ毎に開示可能とする。【解決手段】管理サーバ１１でユーザとクライアント端末１０のログイン状態を管理し、クライアント端末１０が相手ユーザに発信する際に、相手ユーザの状態を管理サーバ１１に問い合わせ、その返答結果によりログイン状態でなければ、該ユーザが事前に登録したクライアント端末のアドレス等を管理サーバ１１から得る。また、クライアント端末１０に設けた取得許諾可否通信機能により、双方向映像通信中の映像／画像の取得の許諾可否を相手ユーザに求めて決定し、秘匿性の要求される発信対象者の画像付きアドレス表示機能を、ユーザ毎に編集し、ユーザ毎に開示させる。【選択図】  図１
2004222117.tif 000002
【特許請求の範囲】
【請求項１】
双方向通信用サーバ、管理サーバ、及び双方向映像の通信機能を提供する双方向映像通信機能を有する少なくとも２つのクライアント端末を含む双方向映像通信システムであって、
該管理サーバは、
該システムを利用可能とするクライアント端末及びユーザのログイン状態を管理して、クライアント端末の双方向映像通信機能の起動状態を各々管理する機能と、
該クライアント端末が該システムを利用する前にシステムに登録したクライアント端末を示すアドレスもしくはエイリアス・アドレスをクライアント端末の情報として保存し管理する機能と、
該クライアント端末が該システムを利用する前にシステムに登録したシステムにログインしていないときに着信するクライアント端末を示すアドレスもしくはエイリアス・アドレスをユーザ情報として保存し管理する機能とを有し、
双方向通信用サーバは、
該クライアント端末が該システムを利用する際に登録要求したアドレスもしくはエイリアス・アドレスを登録し通知する機能と、
該クライアント端末の双方向映像通信機能の呼制御を行う機能とを有し、
該クライアント端末は、
ユーザが該システムにログインした時に、該システムにログインしたユーザＩＤと該クライアント端末のアドレスを管理サーバに通知する機能と、
発信相手に関して管理している情報を該管理サーバに対して問い合わせを行い、該サーバが返答した発信相手の該情報に基づいて、別のクライアント端末と双方向映像通信を行う双方向映像通信機能とを有する
ことを特徴とする双方向映像通信システム。
【請求項２】
請求項１に記載の双方向映像通信システムにおいて、
クライアント端末の双方向映像通信機能は、
ユーザが別のユーザに対して発信を行う際に、管理サーバに対して通信対象となるユーザの状態の問い合わせを行い、該管理サーバからの返答結果に応じて通信対象となるユーザが該システムにログインしていればログインしているクライアント端末に発信し、通信対象となるユーザが該システムにログインしていなければ相手ユーザが登録しているアドレスもしくはエイリアス・アドレスに対してクライアント端末に発信を行う
ことを特徴とする双方向映像通信システム。
【請求項３】
請求項１または２に記載の双方向映像通信システムにおいて、
クライアント端末は、
双方向映像通信中にクライアント端末に表示されている通信対象者の映像を映像／画像として取り込む映像取得機能と、
該映像／画像、ユーザ名、及びエイリアス・アドレスを関連づける編集作業を行い、発信者毎のアドレス帳データを編集するアドレス帳編集機能と、
該編集されたアドレス帳データで関連づけられた該映像／画像、ユーザ名、及びエイリアス・アドレスをユーザ毎に表示を行うアドレス表示機能とを有し、
双方向映像通信機能は、該映像／画像を発信対象の特定を行う手段として利用し、該映像／画像と関連づけられたユーザに対して発信する機能を有する
ことを特徴とする双方向映像通信システム。
【請求項４】
請求項３に記載の双方向映像通信システムにおいて、
クライアント端末は、
ユーザが映像取得機能を利用して通信中の映像／画像を取得する際に、映像／画像を取り込もうとしているクライアント端末に対して、通話中の相手ユーザに映像取得の可否のメッセージを通知し、通信中の相手ユーザのクライアント端末から許諾応答の可否のメッセージが返信されることにより、映像取得の可否が決定される取得許諾可否通信機能を有する
ことを特徴とする双方向映像通信システム。
【請求項５】
双方向通信用サーバ、管理サーバ、及び双方向映像の通信機能を提供する双方向映像通信機能を有する少なくとも２つのクライアント端末を含む双方向映像通信システムにおける該管理サーバであって、
該システムを利用可能とするクライアント端末及びユーザのログイン状態を管理して、クライアント端末の双方向映像通信機能の起動状態を各々管理する機能と、
該クライアント端末が該システムを利用する前に登録したクライアント端末を示すアドレスもしくはエイリアス・アドレスをクライアント端末の情報として保存し管理する機能と、
該クライアント端末が該システムを利用する前にシステムに登録したシステムにログインしていないときに着信するクライアント端末を示すアドレスもしくはエイリアス・アドレスをユーザ情報として保存し管理する機能とを有する
ことを特徴とする管理サーバ。
【請求項６】
双方向通信用サーバ、管理サーバ、及び双方向映像の通信機能を提供する双方向映像通信機能を有する少なくとも２つのクライアント端末を含む双方向映像通信システムにおける該双方向通信用サーバであって、
該クライアント端末が該システムを利用する際にシステムに登録要求したアドレスもしくはエイリアス・アドレスを登録し通知する機能と、
該クライアント端末の双方向映像通信機能の呼制御を行う機能とを有する
ことを特徴とする双方向通信用サーバ。
【請求項７】
双方向通信用サーバ、管理サーバ、及び双方向映像の通信機能を提供する双方向映像通信機能を有する少なくとも２つのクライアント端末を含む双方向映像通信システムにおける該クライアント端末であって、
ユーザが該システムにログインした時に、該システムにログインしたユーザＩＤと該クライアント端末のアドレスを管理サーバに通知する機能と、
発信相手に関して管理している情報を該管理サーバに対して問い合わせを行い、該サーバが返答した発信相手の該情報に基づいて、別のクライアント端末と双方向映像通信を行う双方向映像通信機能とを有する
ことを特徴とするクライアント端末。
【請求項８】
請求項７に記載のクライアント端末において、
双方向映像通信機能は、
ユーザが別のユーザに対して発信を行う際に、管理サーバに対して通信対象となるユーザの状態の問い合わせを行い、該管理サーバからの返答結果に応じて通信対象となるユーザが該システムにログインしていればログインしているクライアント端末に発信し、通信対象となるユーザが該システムにログインしていなければ相手ユーザが登録しているアドレスもしくはエイリアス・アドレスに対してクライアント端末に発信を行う
ことを特徴とするクライアント端末。
【請求項９】
請求項７または８に記載のクライアント端末において、
双方向映像通信中にクライアント端末に表示されている通信対象者の映像を映像／画像として取り込む映像取得機能と、
該映像／画像、ユーザ名、及びエイリアス・アドレスを関連づける編集作業を行い、発信者毎のアドレス帳データを編集するアドレス帳編集機能と、
該編集されたアドレス帳データで関連づけられた該映像／画像、ユーザ名、及びエイリアス・アドレスをユーザ毎に表示を行うアドレス表示機能とを有し、
双方向映像通信機能は、該映像／画像を発信対象の特定を行う手段として利用し、該映像／画像と関連づけられたユーザに対して発信する機能を有する
ことを特徴とするクライアント端末。
【請求項１０】
請求項９に記載のクライアント端末において、
ユーザが映像取得機能を利用して通信中の映像／画像を取得する際に、映像／画像を取り込もうとしているクライアント端末に対して、通話中の相手ユーザに映像取得の可否のメッセージを通知し、通信中の相手ユーザのクライアント端末から許諾応答の可否のメッセージが返信されることにより、映像取得の可否が決定される取得許諾可否通信機能を有する
ことを特徴とするクライアント端末。
【請求項１１】
請求項５に記載の管理サーバにおける機能を、コンピュータで実現するためのプログラムとした
ことを特徴とする双方向映像通信プログラム。
【請求項１２】
請求項６に記載の双方向通信用サーバにおける機能を、コンピュータで実現するためのプログラムとした
ことを特徴とする双方向映像通信プログラム。
【請求項１３】
請求項７乃至１０のいずれかに記載のクライアント端末における機能を、コンピュータで実現するためのプログラムとした
ことを特徴とする双方向映像通信プログラム。
【請求項１４】
請求項５に記載の管理サーバにおける機能を、コンピュータで実現するためのプログラムとし、
該プログラムを、該コンピュータが読み取りできる記録媒体に記録した
ことを特徴とする双方向映像通信プログラムを記録した記録媒体。
【請求項１５】
請求項６に記載の双方向通信用サーバにおける機能を、コンピュータで実現するためのプログラムとし、
該プログラムを、該コンピュータが読み取りできる記録媒体に記録した
ことを特徴とする双方向映像通信プログラムを記録した記録媒体。
【請求項１６】
請求項７乃至１０のいずれかに記載のクライアント端末における機能を、コンピュータで実現するためのプログラムとし、
該プログラムを、該コンピュータが読み取りできる記録媒体に記録した
ことを特徴とする双方向映像通信プログラムを記録した記録媒体。
【発明の詳細な説明】
【０００１】
【発明の属する技術分野】
本発明はＩＰネットワーク上でサーバ・クライアント方式を用い、クライアント端末、ユーザの状態を管理するサーバを利用して、クライアント端末間で双方向映像通信を行う技術分野に属する。
【０００２】
【従来の技術】
ＬＡＮ上での映像双方向通信はＨ．３２３やＳＩＰによって技術として確立されている。特にＨ．３２３の場合、各クライアント端末がゲートキーパに自端末のエイリアス名を登録することで、他のクライアント端末からエイリアス・アドレスにより発呼することが可能である。
【０００３】
また、ＩＰネットワーク上でのＰＣ（パソコン）等を利用した双方向通信システムにおいては、発信したい相手のクライアント端末が起動しているかが把握できると、利便性が向上するが、ここで各クライアントの状態を監視して、その情報（起動状態等）を他のクライアントに通知する方式としては、例えば特許文献１が挙げられる。
【０００４】
次に発信を行う際に、電話番号、アドレス等を発信者側が把握している必要があるが、システム側が、システムに登録している全ユーザの共通のアドレスデータを提供し、発信相手を特定する方式として、例えば特許文献２が挙げられる。
【０００５】
【特許文献１】
特開２００２−２５９２３５号公報
【０００６】
【特許文献２】
特開平７−２４５６５６号公報
【０００７】
【発明が解決しようとする課題】
上記したように、相手の端末の状態を監視し、その端末に対して発信を行うことは可能であると考えられる。また従来技術を用いて、システム側から全ユーザのアドレス情報を提供することは可能である。
【０００８】
しかしながら、ユーザの状態にかかわらず、どこかの端末に着信させることはできない。すなわち、あるユーザに対して他のユーザから発信があった場合に、ユーザがシステムにログインしている際には、ログインしているクライアント端末に着信させ（この場合は、使用する端末は限定されない）、ユーザがシステムにログインしていない場合には、事前に設定しておいたクライアント端末に着信させることは記載されていない。
【０００９】
また、既存の方法では、システム全体で登録されている通信相手を提供することは可能であるが、システム全体で利用するユーザのアドレス表示機能を提供する一方、秘匿性の要求される発信対象者の画像付きアドレス表示機能を、ユーザ毎に編集させ、ユーザ毎に開示させる形で提供させることはできない。
【００１０】
本発明は、上記従来技術の問題点を解決するためになされたものであり、ユーザの状態にかかわらず、事前に設定しておいたクライアント端末に着信させること、及び秘匿性の要求される発信対象者の画像付きアドレス表示機能を、ユーザ毎に編集させ、ユーザ毎に開示させる形で提供させることができる双方向映像通信技術を提供することが課題である。
【００１１】
【課題を解決するための手段】
上記の課題を解決するため、本発明は、双方向通信用サーバ、管理サーバ、及び双方向映像の通信機能を提供する双方向映像通信機能を有する少なくとも２つのクライアント端末を含む双方向映像通信システムであって、該管理サーバは、該システムを利用可能とするクライアント端末及びユーザのログイン状態を管理して、クライアント端末の双方向映像通信機能の起動状態を各々管理する機能と、該クライアント端末が該システムを利用する前にシステムに登録したクライアント端末を示すアドレスもしくはエイリアス・アドレスをクライアント端末の情報として保存し管理する機能と、該クライアント端末が該システムを利用する前にシステムに登録したシステムにログインしていないときに着信するクライアント端末を示すアドレスもしくはエイリアス・アドレスをユーザ情報として保存し管理する機能とを有し、双方向通信用サーバは、該クライアント端末が該システムを利用する際に登録要求したアドレスもしくはエイリアス・アドレスを登録し通知する機能と、該クライアント端末の双方向映像通信機能の呼制御を行う機能とを有し、該クライアント端末は、ユーザが該システムにログインした時に、該システムにログインしたユーザＩＤと該クライアント端末のアドレスを管理サーバに通知する機能と、発信相手に関して管理している情報を該管理サーバに対して問い合わせを行い、該サーバが返答した発信相手の該情報に基づいて、別のクライアント端末と双方向映像通信を行う双方向映像通信機能とを有することを特徴とする双方向映像通信システムを、その解決の手段とする。
【００１２】
あるいは、上記の双方向映像通信システムにおいて、クライアント端末の双方向映像通信機能は、ユーザが別のユーザに対して発信を行う際に、管理サーバに対して通信対象となるユーザの状態の問い合わせを行い、該管理サーバからの返答結果に応じて通信対象となるユーザが該システムにログインしていればログインしているクライアント端末に発信し、通信対象となるユーザが該システムにログインしていなければ相手ユーザが登録しているアドレスもしくはエイリアス・アドレスに対してクライアント端末に発信を行うことを特徴とする双方向映像通信システムを、その解決の手段とする。
【００１３】
あるいは、上記の双方向映像通信システムにおいて、クライアント端末は、双方向映像通信中にクライアント端末に表示されている通信対象者の映像を映像／画像として取り込む映像取得機能と、該映像／画像、ユーザ名、及びエイリアス・アドレスを関連づける編集作業を行い、発信者毎のアドレス帳データを編集するアドレス帳編集機能と、該編集されたアドレス帳データで関連づけられた該映像／画像、ユーザ名、及びエイリアス・アドレスをユーザ毎に表示を行うアドレス表示機能とを有し、双方向映像通信機能は、該映像／画像を発信対象の特定を行う手段として利用し、該映像／画像と関連づけられたユーザに対して発信する機能を有することを特徴とする双方向映像通信システムを、その解決の手段とする。
【００１４】
あるいは、上記の双方向映像通信システムにおいて、クライアント端末は、ユーザが映像取得機能を利用して通信中の映像／画像を取得する際に、映像／画像を取り込もうとしているクライアント端末に対して、通話中の相手ユーザに映像取得の可否のメッセージを通知し、通信中の相手ユーザのクライアント端末から許諾応答の可否のメッセージが返信されることにより、映像取得の可否が決定される取得許諾可否通信機能を有することを特徴とする双方向映像通信システムを、その解決の手段とする。
【００１５】
あるいは、双方向通信用サーバ、管理サーバ、及び双方向映像の通信機能を提供する双方向映像通信機能を有する少なくとも２つのクライアント端末を含む双方向映像通信システムにおける該管理サーバであって、該システムを利用可能とするクライアント端末及びユーザのログイン状態を管理して、クライアント端末の双方向映像通信機能の起動状態を各々管理する機能と、該クライアント端末が該システムを利用する前に登録したクライアント端末を示すアドレスもしくはエイリアス・アドレスをクライアント端末の情報として保存し管理する機能と、該クライアント端末が該システムを利用する前にシステムに登録したシステムにログインしていないときに着信するクライアント端末を示すアドレスもしくはエイリアス・アドレスをユーザ情報として保存し管理する機能とを有することを特徴とする管理サーバを、その解決の手段とする。
【００１６】
あるいは、双方向通信用サーバ、管理サーバ、及び双方向映像の通信機能を提供する双方向映像通信機能を有する少なくとも２つのクライアント端末を含む双方向映像通信システムにおける該双方向通信用サーバであって、該クライアント端末が該システムを利用する際にシステムに登録要求したアドレスもしくはエイリアス・アドレスを登録し通知する機能と、該クライアント端末の双方向映像通信機能の呼制御を行う機能とを有することを特徴とする双方向通信用サーバを、その解決の手段とする。
【００１７】
あるいは、双方向通信用サーバ、管理サーバ、及び双方向映像の通信機能を提供する双方向映像通信機能を有する少なくとも２つのクライアント端末を含む双方向映像通信システムにおける該クライアント端末であって、ユーザが該システムにログインした時に、該システムにログインしたユーザＩＤと該クライアント端末のアドレスを管理サーバに通知する機能と、発信相手に関して管理している情報を該管理サーバに対して問い合わせを行い、該サーバが返答した発信相手の該情報に基づいて、別のクライアント端末と双方向映像通信を行う双方向映像通信機能とを有することを特徴とするクライアント端末を、その解決の手段とする。
【００１８】
あるいは、上記のクライアント端末において、双方向映像通信機能は、ユーザが別のユーザに対して発信を行う際に、管理サーバに対して通信対象となるユーザの状態の問い合わせを行い、該管理サーバからの返答結果に応じて通信対象となるユーザが該システムにログインしていればログインしているクライアント端末に発信し、通信対象となるユーザが該システムにログインしていなければ相手ユーザが登録しているアドレスもしくはエイリアス・アドレスに対してクライアント端末に発信を行うことを特徴とするクライアント端末を、その解決の手段とする。
【００１９】
あるいは、上記のクライアント端末において、双方向映像通信中にクライアント端末に表示されている通信対象者の映像を映像／画像として取り込む映像取得機能と、該映像／画像、ユーザ名、及びエイリアス・アドレスを関連づける編集作業を行い、発信者毎のアドレス帳データを編集するアドレス帳編集機能と、該編集されたアドレス帳データで関連づけられた該映像／画像、ユーザ名、及びエイリアス・アドレスをユーザ毎に表示を行うアドレス表示機能とを有し、双方向映像通信機能は、該映像／画像を発信対象の特定を行う手段として利用し、該映像／画像と関連づけられたユーザに対して発信する機能を有することを特徴とするクライアント端末を、その解決の手段とする。
【００２０】
あるいは、上記のクライアント端末において、ユーザが映像取得機能を利用して通信中の映像／画像を取得する際に、映像／画像を取り込もうとしているクライアント端末に対して、通話中の相手ユーザに映像取得の可否のメッセージを通知し、通信中の相手ユーザのクライアント端末から許諾応答の可否のメッセージが返信されることにより、映像取得の可否が決定される取得許諾可否通信機能を有することを特徴とするクライアント端末を、その解決の手段とする。
【００２１】
あるいは、上記の管理サーバにおける機能を、コンピュータで実現するためのプログラムとしたことを特徴とする双方向映像通信プログラムを、その解決の手段とする。
【００２２】
あるいは、上記の双方向通信用サーバにおける機能を、コンピュータで実現するためのプログラムとしたことを特徴とする双方向映像通信プログラムを、その解決の手段とする。
【００２３】
あるいは、上記のクライアント端末における機能を、コンピュータで実現するためのプログラムとしたことを特徴とする双方向映像通信プログラムを、その解決の手段とする。
【００２４】
あるいは、上記の管理サーバにおける機能を、コンピュータで実現するためのプログラムとし、該プログラムを、該コンピュータが読み取りできる記録媒体に記録したことを特徴とする双方向映像通信プログラムを記録した記録媒体を、その解決の手段とする。
【００２５】
あるいは、上記の双方向通信用サーバにおける機能を、コンピュータで実現するためのプログラムとし、該プログラムを、該コンピュータが読み取りできる記録媒体に記録したことを特徴とする双方向映像通信プログラムを記録した記録媒体を、その解決の手段とする。
【００２６】
あるいは、上記のクライアント端末における機能を、コンピュータで実現するためのプログラムとし、該プログラムを、該コンピュータが読み取りできる記録媒体に記録したことを特徴とする双方向映像通信プログラムを記録した記録媒体を、その解決の手段とする。
【００２７】
本発明では、管理サーバでユーザとクライアント端末のログイン状態を管理し、クライアント端末が相手ユーザに発信する際に、相手ユーザの状態を管理サーバに問い合わせ、その返答結果によりログイン状態でなければ、該ユーザが事前に登録したクライアント端末のアドレス等を管理サーバから得ることにより、ユーザの状態にかかわらず、事前に設定されたクライアント端末に着信させる。また、クライアント端末に設けた取得許諾可否通信機能によって、双方向映像通信中の映像／画像の取得の許諾可否を相手クライアントに求めて決定することにより、秘匿性の要求される発信対象者の画像付きアドレス表示機能を、ユーザ毎に編集させ、ユーザ毎に開示させる形で提供させる。
【００２８】
【発明の実施の形態】
以下、本発明の実施の形態について図を用いて詳細に説明する。
【００２９】
［発明の原理を示す実施の形態］
図１に示す本発明で想定しているシステム構成では、現在用いられている双方向映像通信方式（Ｈ．３２３、ＳＩＰなど）のシステムに複数のユーザ・クライアント端末１，２，３…（以下、代表する場合はクライアント端末１０と記す）の各々の状態の管理を行う管理サーバ１１を設ける。クライアント端末１，２，３…の各々と管理サーバ１１とはネットワーク１２に接続されている。
【００３０】
まず、本発明で使用するシステムでは、ユーザとクライアント端末は事前に管理サーバ１１に対して各項目のデータを登録する。
【００３１】
双方向映像通信を行うにあたって、管理サーバ１１はユーザ、クライアント端末１，２，３…のイベント毎に状態通知機能による状態通知を受け付け、常に管理サーバ１１で状態の変化を管理する。
【００３２】
以下、図１に沿って説明する。ユーザＢは未ログイン時に、着信するクライアント端末としてクライアント端末２を設定しているものとする。あるクライアント端末１からこのシステムにログインしているユーザＡが、ユーザＢに対して発信する場合には、まず管理サーバ１１にユーザＢの状態を問い合わせる。この結果、ユーザＢがクライアント端末２にログインしていれば、クライアント端末２に着信し（状態１）、ユーザＢがクライアント端末３にログインしていれば、クライアント端末３に着信し（状態２）、ユーザＢがどのクライアント端末からもこのシステムにログインしていなければ、ユーザＢが事前に登録していたクライアント端末２に着信する（状態３）。
【００３３】
また、通信中に相手の映像をクライアント端末に具備されている映像取得機能により取得し、クライアント端末に具備されているアドレス帳編集機能により該取得した相手の映像／画像ファイルをユーザ名、電話番号のデータと関連付ける編集作業を行い、ユーザ毎の映像／画像付きアドレスデータをアドレス帳として作成し、クライアント端末に具備されているアドレス表示機能で表示させ、発信の際の相手の選択に利用する。
【００３４】
また、このシステムにおいて、ユーザが映像取得機能により、通信対象者の映像／画像を取得する際に、通信対象者のクライアント端末の取得許諾可否通信機能より、通話中の相手に映像／画像取得の可否を通知し、通信中のユーザのクライアント端末から許諾応答の可否を返答を受けることで、映像取得の可否が決定される。
【００３５】
［発明の実施の形態１］
本実施形態のシステム構成を図２に、本実施形態の通信の手順を図３に示す。本実施形態では、以下に示すような手順で通信を確立する。また、ここでは双方向映像通信システムにはＨ．３２３のシステムを例にとり説明する。以下、図２、及び図３に沿って説明する。なお、図３中の（数字）は下記の（数字）の説明内容に対応している。また、本発明での機能とは当該機能の実現手段と同義である。
【００３６】
（１）本実施形態は、基本的に、図１で示すようなシステム構成をとる。図２において、本システムは、双方向通信用サーバ（本実施形態では、ゲートキーパ：Ｈ．３２３ＧａｔｅＫｅｅｐｅｒ）１３、２台以上のクライアント端末１，２，…，Ｎ、管理サーバ１１がネットワーク１２で接続されて構成されている。
【００３７】
クライアント端末１０の機能ブロックは図４に示すとおりである。図４において、クライアント端末１０は、先に述べた、状態通知機能１０１、映像取得機能１０２、アドレス帳編集機能１０３、アドレス表示機能１０４、取得許諾可否通信機能１０５を有するとともに、アドレス帳データ送受信機能１０６を有する。さらに、双方向映像通信用のクライアント端末１０には、双方向映像通信機能（具体的には双方向映像通信用アプリケーション）１０７が具備されている。
【００３８】
双方向映像通信機能１０７は、他のクライアント端末と映像通信を行う際に使用される通信機能である。通信方式がＨ．３２３に従う場合には、Ｈ．２２５、Ｈ．２４５に従ったメッセージを双方向通信用サーバ１３、及び通信を行う他のクライアント端末と交換する機能を有し、映像・音声のデータはＲＴＰ、及びＲＴＣＰにより送受信が可能な機能を有する。
【００３９】
映像取得機能１０２は、双方向映像通信中に通信中の相手の映像を静止画として画像、もしくは動画として映像を保存する機能である。ここで取得された画像、もしくは映像は、個人アドレス表示機能として利用されるアドレスデータの１要素として利用される。
【００４０】
アドレス表示機能１０４は、すべてのユーザの情報が表示される機能（グローバルアドレス表示機能）、及びユーザごとに編集可能なデータが表示されるアドレス表示機能（個人アドレス表示機能）が提供される。
【００４１】
アドレス帳編集機能１０３は、映像取得機能１０２により保存した映像／画像とユーザ名と関連付ける機能である。関連づけられたデータはこのアドレス帳データ送受信機能１０３により、管理サーバ１１に送信後、保存される。
【００４２】
状態通知機能１０１は、ユーザがクライアント端末からログインすると、ユーザＩＤとログインしたクライアント端末のアドレスを管理サーバ１１に通知する機能である。
【００４３】
取得許諾可否通知機能１０５は、双方向通信中に映像取得機能１０２を用いて相手映像を保存する前に、通信相手に許諾を求めるため利用する機能である。２つのクライアント端末間で、取得許諾問い合わせ、及び取得許諾、もしくは取得拒否の内容を有するメッセージを交換する。
【００４４】
アドレス帳データ送受信機能１０６は、管理サーバ１１に対して、アドレス帳編集機能１０３により、映像／画像とユーザ名を関連付けられたデータの送信を行う機能である。また管理サーバ１１から送信され、アドレス表示機能１０４で表示されるデータの受信を行う。
【００４５】
管理サーバ１１の機能ブロックは図５に示すとおりであり、各機能ブロックのデータ管理例は図６のとおりである。図５において、管理サーバ１１は、ユーザ・端末状態管理機能１１１を有するとともに、端末情報管理機能１１２、ユーザ情報管理機能１１３、クライアント端末１０とのアドレス帳データ送受信機能１１４を有する。
【００４６】
ユーザ・端末状態管理機能１１１は、このシステムにログイン中のユーザＩＤとクライアント端末のアドレス（ＩＰアドレス）のデータの組の保存を行う機能である。またアプリケーションが起動中端末のアドレス、エイリアス・アドレス（電話番号）のデータの組を保存する機能である。
【００４７】
端末情報管理機能１１２は、各クライアント端末を一意に特定するための情報として、アドレスとエイリアス・アドレスの両者対のデータの保持、更新を行う機能である。
【００４８】
アドレス帳データ送受信機能１１４は、クライアント端末において、アドレス帳編集機能１０６により、映像／画像とユーザ名を関連付けられたデータの受信を行う機能である。またクライアント端末に対して、アドレス表示機能１０４で表示されるデータの送信を行う。
【００４９】
アドレス管理機能１１５は、クライアント端末のグローバルアドレスのアドレス表示機能１０４で表示されるグローバルアドレス表示データ（ユーザＩＤ、ユーザ名、及びエイリアス・アドレスの組）、及び個人アドレスのアドレス表示機能１０４で表示される個人アドレス表示データ（使用者ユーザＩＤ、宛先ユーザＩＤ、宛先のユーザ名、宛先のエイリアス・アドレス、及び宛先の画像ＩＤの組）の保持、更新を行う機能である。
【００５０】
ユーザ情報管理機能１１１は、ユーザ登録の際に登録される各ユーザの、エイリアス・アドレス、ユーザＩＤ、及びユーザ名のデータを保持する機能である。
【００５１】
双方向通信用サーバ１３の機能ブロックは図６に示すとおりである。図６において、双方向通信用サーバ１３は、呼制御機能１３１、映像音声合成機能１３２、状態通知機能１３３を有する。
【００５２】
呼制御機能１３１は、クライアント端末の双方向通信機能の呼制御を行う機能である。本実施形態のようにＨ．３２３方式に従う場合には、ゲート・キーパに相当する機能である。
【００５３】
映像音声合成機能１３２は、クライアント端末で多地点会議を開催する場合に、映像、音声の合成を行う機能である。ＭＣＵ（Ｍｕｌｔｉｐｏｉｎｔ  Ｃｏｎｔｒｏｌ  Ｕｎｉｔ）の機能に相当する。本機能はシステムに必須の機能ではない。
【００５４】
状態通知機能１３３は、クライアント端末からＨ．３２３の手順で、登録が行われた際に、登録が行われた端末のエイリアス・アドレス、及びアドレスのデータを管理サーバに通知する機能である。
【００５５】
（２）本システムで利用可能なクライアント端末に対しては、アドレス（ＩＰアドレス）とエイリアス・アドレス（電話番号）を設定し、本システムで使用可能なクライアント端末は電話番号により本システム内で一意に特定が可能とする。各クライアント端末の情報として、アドレスとエイリアス・アドレスの両者対のデータの保持は管理サーバ１１の端末情報管理機能１１２にて行う。
【００５６】
本システムの利用者は、利用前にユーザ登録を行うものとする。このユーザ登録にはエイリアス・アドレス、ユーザＩＤ、ユーザ名を登録する。各ユーザの情報として、これらのデータの保持は管理サーバ１１のユーザ情報管理機能１１３にて行う。ここでエイリアス・アドレスはユーザがシステムにログインしていない際に、このユーザ宛の発信があった場合に着信するクライアント端末（以降デフォルト端末と称する）を示すものとする。
【００５７】
（３）本システムの利用にあたり、双方向映像通信機能１０７を起動させる必要がある。この双方向映像通信機能１０７は起動されてはいる状態で（ユーザによって利用されていない状態）、このクライアント端末からゲートキーパ１３に対しては、Ｈ．３２３の手順に則り、登録要求と登録確認を行うものとする。この端末登録の際には、クライアント端末と、エイリアス・アドレスを通知するものとする。これにより、あるユーザに対して発信が行われた際に、そのユーザがこのシステムにログインしていない状態で、かつこのユーザのデフォルト端末が起動している場合には、このクライアント端末に着信することを特徴とする（具体的には、ユーザＡのデフォルト端末をクライアント端末１とした場合、他のクライアント端末からユーザＡに対して発信された場合には、クライアント端末１に着信するものとする）。
【００５８】
（４）上記（３）で登録済みの任意のユーザがクライアント端末にログインすると、クライアント端末の状態通知機能１０１により、このユーザのユーザＩＤとログインしたクライアント端末のアドレスが管理サーバ１１に通知され、管理サーバ１１からクライアント端末に対して応答が返信され、このユーザの所在の確認が管理サーバ１１側で可能となる。ここでこのシステムにログイン中のユーザＩＤとクライアント端末のアドレスのデータの組みは管理サーバ１１のユーザ・端末状態管理機能１１１により保持される。本システムにおいて、上記（２）の登録済みのユーザは、本システムの双方向映像通信機能１０７が起動している任意のクライアント端末でも使用可能である。またこの際、クライアント端末からゲートキーパ１３に対して、上記（３）で行ったクライアント端末のアドレスとエイリアス・アドレスでの登録抹消の要求を出し、次にアドレスとエイリアス・アドレスとしてユーザＩＤの登録要求を行う。この登録抹消の手続きはＨ．３２３の手順に則り実施する。以上の手順によりログインしたユーザにおける端末登録が完了する。
【００５９】
（５）本システムにおいては、各クライアント端末に設定されているエイリアス・アドレス、もしくは各クライアント端末のアドレス表示機能１０４による発信先指定により発信先の決定が可能である。
【００６０】
アドレス表示機能１０４に表示されるものには２種類存在し、本システムに登録しているすべてのユーザが表示される機能（以下、グローバルアドレス表示機能）とユーザ毎に変更可能であり、編集可能なアドレス表示機能（以降、個人アドレス表示機能）が提供される。
【００６１】
２種類のアドレス表示機能のデータは、管理サーバ１１のアドレス管理機能１１５において保持される。１つのデータは本システムを利用するすべてのユーザに関するデータであり、本システムのすべての利用者の、ユーザ名、デフォルト端末のエイリアス・アドレスが格納されている。２つめのデータは個人ごとに編集可能な通話対象者のデータであり、ユーザ名、エイリアス・アドレス、及び各ユーザの映像／画像を掲載することが可能である。
【００６２】
この２種類のデータがクライアント端末のアドレス表示機能１０４に表示され、ユーザはこのアドレス表示機能１０４を利用して、発信対象者を特定することで発信することが可能である。
【００６３】
上記（４）でのユーザ登録終了後、クライアント端末に各アドレス表示機能１０４のデータが送信される。このクライアント端末は管理サーバ１１に要求を出して、管理サーバ１１から各ユーザに応じたデータをクライアント端末に対して送信する。図８はクライアント端末に搭載する双方向映像通信機能１０７のアプリケーションウインドウの具体例であり、個人アドレスデータ表示部にユーザ毎にカスタマイズされた通信対象者の名前と映像／画像が表示される。
【００６４】
（６）ユーザが２種類のアドレス表示機能１０４から発信先ユーザを選択して発信を行う場合、クライアント端末から管理サーバ１１に対して、発信先ユーザのユーザＩＤをキーに問い合わせを行い、発信先ユーザがログイン中か否かの問い合わせを行い、発信先ユーザがログイン中であればユーザＩＤをもとに発信を行い、ログインされていなければ、デフォルト端末に発信する。
【００６５】
ここでは図１で示したように、ユーザＢのデフォルト端末をクライアント端末２とした場合に、ユーザＢがクライアント端末２からログインしていればクライアント端末２に着信し（状態１）、ユーザＢがクライアント端末３にログインしていればクライアント端末３に着信し（状態２）、どの端末にもログインしていなければクライアント端末２に着信する（状態３）。
【００６６】
［発明の実施の形態２］
クライアント端末に搭載されている映像取得機能１０２、及びアドレス帳編集機能１０６を利用する手順を図９に示す。本実施形態の手順は、次のとおりである。なお、図９中の（数字）は下記の（数字）の説明内容に対応している。
【００６７】
（１）双方向映像通信が確立している際に、一方のクライアント端末側から他方のクライアント端末の映像／画像を、クライアント端末の映像取得機能１０２を用いて、双方向映像通信中の通信映像を保存する。
【００６８】
（２）双方向映像通信終了後、クライアント端末のアドレス帳編集機能１０３により、保存した映像／画像とユーザ名を関連付け、保存された映像／画像は、管理サーバ１１にアドレス帳データ送受信機能１０６により転送し、両者の対のデータが管理サーバ１１に保存され、このユーザのアドレス管理機能１１５のデータが更新される。
【００６９】
（３）上記（２）で登録されたユーザに関しては、次回の発信からクライアント端末のアドレスデータ表示機能１０４の１つである個人アドレス帳表示機能により表示され、そのユーザ宛の発信の利用可能とするものである。図８は双方向通信アプリケーションのウィンドウ例である。このウィンドウの個人アドレスデータ表示部で映像を選択することで、発信対象者を特定可能となる。
【００７０】
［発明の実施の形態３］
クライアント端末に搭載されている取得許諾可否通信機能１０５を利用する手順を図１０に示す。本実施形態の手順は次のとおりである。
【００７１】
（１）双方向映像通信が確立している際に、一方のクライアント端末側（クライアント端末Ｄ）から他方のクライアント端末（クライアント端末Ｅ）の映像を、クライアント端末の映像取得機能を使用するため、双方向映像通信中の映像保存要求を行う。
【００７２】
（２）次に双方向映像通信中の映像保存要求を行ったクライアント端末側（クライアント端末Ｄ）から取得許諾可否通信機能１０５により、通信中のクライアント端末（クライアント端末Ｅ）にメッセージ（取得許諾問い合わせ）を送信する。
【００７３】
（３）メッセージ（取得許諾問い合わせ）を受信したクライアント端末（クライアント端末Ｅ）側で、ユーザが映像取得の可否を判断し、映像保存要求への応答として許諾する場合にはメッセージ（取得許諾）、否定する場合にはメッセージ（取得拒否）を返送する。
【００７４】
（４）クライアント端末Ｄ側で、メッセージ（取得許諾）を受信した場合には映像取得機能１０２を使用可能とし、メッセージ（取得拒否）を受信した場合には映像取得機能１０２を使用不能とする（即ち、通信相手の映像を保存できないとする）。
【００７５】
これ以降の手順は［発明の実施の形態２］の（２）に従い、アドレス帳編集機能１０３を用いて、保存した画像とユーザ名の関連づけを行うものとする。
【００７６】
なお、図１、図２、図４、図５、及び図７で示した装置における各部の一部もしくは全部の機能をコンピュータのプログラムで構成し、そのプログラムをコンピュータを用いて実行して本発明を実現することができること、あるいは、図３、図９、及び図１０で説明した処理の手順をコンピュータのプログラムで構成し、そのプログラムをコンピュータに実行させることができることは言うまでもなく、コンピュータでその機能を実現するためのプログラム、あるいは、コンピュータにその処理の手順を実行させるためのプログラムを、そのコンピュータが読み取り可能な記録媒体、例えば、フレキシブルディスクや、ＭＯ、ＲＯＭ、メモリカード、ＣＤ、ＤＶＤ、リムーバブルディスクなどに記録して、保存したり、配布したりすることが可能である。また、上記のプログラムをインターネットや電子メールなど、ネットワークを通して提供することも可能である。このように、記録媒体やネットワークにより提供されたプログラムをコンピュータにインストールすることで本発明が実施可能となる。
【００７７】
【発明の効果】
以上で明らかなように本発明によれば、双方向映像通信を利用したいユーザは、クライアント端末に依らず、使用することが可能となる。また、相手が本システムにログインしていれば、その端末に着信し、ログインしていなければ、あらかじめ登録していたクライアント端末に着信することが可能となる。また、１台の電話を複数のユーザが自分のデフォルト端末として共用できることが利点として挙げられる。
【００７８】
また、例えば使用するユーザが限られるコミュニティ内などのシステムとして、システムから提供されるアドレス帳に基づき発信することが可能であるため、ユーザ通話したい相手のアドレスを知ることなく、通話することが可能である。また、通話中に相手の姿・容姿を映像として取り込むことで、ユーザの好みに基づいた自分のアドレス帳データを保存可能とできる。さらに秘匿性の要求される個人の顔写真のデータを、システム利用者全員に公開することなく、一度通信を行った相手の個人アドレス帳データにしか掲載できないため、顔写真を公開することに際してある程度のセキュリティを有したシステムが提供可能となる。
【図面の簡単な説明】
【図１】本発明の原理を示すユーザの状態と着信状況を説明する図
【図２】本発明の実施の形態１を示すＨ．３２３の場合のシステム構成図
【図３】実施の形態１による通信の手順を示すシーケンス図
【図４】実施の形態におけるクライアント端末の機能ブロック図
【図５】実施の形態における管理サーバの機能ブロック図
【図６】実施の形態における管理サーバの各機能ブロックの管理例を示す図
【図７】実施の形態における双方向通信用サーバの機能ブロック図
【図８】実施の形態における双方向通信用アプリケーションのウィンドウ例を示す図
【図９】本発明の実施の形態２による映像取得機能、アドレス帳編集機能を利用する手順を示すシーケンス図
【図１０】本発明の実施の形態３による取得許諾可否通信機能を利用する手順を示すシーケンス図
【符号の説明】
１０…クライアント端末
１０１…状態通知機能
１０２…映像取得機能
１０３…アドレス帳編集機能
１０４…アドレス表示機能
１０５…取得許諾可否通信機能
１０６…アドレス帳データ送受信機能
１０７…双方向映像通信機能
１１…管理サーバ
１１１…ユーザ・端末状態管理機能
１１２…端末情報管理機能
１１３…ユーザ情報管理機能
１１４…アドレス帳データ送受信機能
１１５…アドレス管理機能
１２…ネットワーク
１３…双方向通信用サーバ（ゲートキーパ）
１３１…呼制御機能
１３２…映像・音声合成機能
１３３…状態通知機能
【図１】
2004222117.tif 000003
【図２】
2004222117.tif 000004
【図３】
2004222117.tif 000005
【図４】
2004222117.tif 000006
【図５】
2004222117.tif 000007
【図６】
2004222117.tif 000008
【図７】
2004222117.tif 000009
【図８】
2004222117.tif 000010
【図９】
2004222117.tif 000011
【図１０】
2004222117.tif 000012